(57)【要約】【課題】蛍光灯を用いたものにおいて、広範囲に間接照明することができる鉄道車両用灯具を提供する。【解決手段】蛍光灯６の下側を、蛍光灯６の長手方向に沿って延びる３つのカバー部材２２Ａ，２２Ｂ，２２Ｂにて覆う構成とする。中央カバー部材２２Ａを、蛍光灯６の真下中央に蛍光灯６を覆うように配置する。左右の側部カバー部材２２Ｂ，２２Ｂを、中央カバー部材２２Ａに対して上方にずれると共に、中央カバー部材２２Ａに対して蛍光灯６の長手方向に直交する方向に一部重複してずれるように配置する。中央カバー部材２２Ａ及び左右の側部カバー部材２２Ｂは、上面２２Ａａ，２２Ｂａが鏡面で、下面２２Ａｂ，２２Ｂｂは塗装面となっている。【選択図】  図２
2008149970.tif 000002
【特許請求の範囲】
【請求項１】
蛍光灯の下側が灯具カバーにて覆われ、鉄道車両の天井面に、車両長手方向に沿って前記蛍光灯が延びるように取り付けられる鉄道車両用灯具であって、
前記灯具カバーは、前記蛍光灯の真下中央に前記蛍光灯を覆うように配置される中央カバー部材と、前記中央カバー部材に対して前記蛍光灯の長手方向に直交する方向にずれて配置されている側部カバー部材とを備えることを特徴とする鉄道車両用灯具。
【請求項２】
前記灯具カバーは、不燃性材料を用いて成形されていることを特徴とする請求項１記載の鉄道車両用灯具。
【請求項３】
前記各カバー部材の上面は、中央部位から両側方部位に向かって徐々に高さが低くなる構成とされていることを特徴とする請求項１または２記載の鉄道車両用灯具。
【請求項４】
前記側部カバー部材は２つで、前記中央カバー部材の左右であって前記中央カバー部材の上方に配置され、
前記中央カバー部材及び側部カバー部材は、上面に対し鏡面加工あるいは反射効率が高くなる表面処理が施されていることを特徴とする請求項１〜３のいずれかに記載の鉄道車両用灯具。
【請求項５】
前記カバー部材は、３つとも、同じ中空形状の押出形材で形成されていることを特徴とする請求項４記載の鉄道車両用灯具。
【請求項６】
前記中央カバー部材は、中空形状の押出形材で、
左右の側部カバー部材は、上方に突出するように湾曲した平板材で形成されていることを特徴とする請求項４記載の鉄道車両用灯具。
【請求項７】
前記中央カバー部材は、前記蛍光灯の長手方向に直交する方向における中央部分に、前記蛍光灯からの光が透光可能である透光部が形成されていることを特徴とする請求項１〜４のいずれかに記載の鉄道車両用灯具。
【請求項８】
前記カバー部材の各端部は、支持板に固定され、
前記各支持板は、上縁部の一側において前記天井面に対して回転可能に支持され、他側において取り外し可能に係止されていることを特徴とする請求項１〜７のいずれかに記載の鉄道車両用灯具。
【発明の詳細な説明】
【技術分野】
【０００１】
本発明は、鉄道車両の天井部に設けられる鉄道車両用灯具に関するものである。
【背景技術】
【０００２】
従来より、鉄道車両の天井部に取り付けられる灯具として、例えば図８および図９に示すように、直管形蛍光灯１０１の全体を、透光可能な材料で成形される灯具カバー１０２にて覆い、間接照明を行うものは知られている。
【０００３】
そのような間接照明を行うものとして、ランプカバーが下方に突出する湾曲形状で、中央側を除き蛍光灯を覆う形状であるものが知られている（例えば、特許文献１参照）。
【０００４】
この鉄道車両用灯具のランプカバーは、合成樹脂または金属板からなる不透光性で、蛍光灯の下半分を覆い隠している。そして蛍光灯が点灯されると、このランプから下方に投射された光は、ランプカバーで遮られ、直射光として被照射部に照射させることがない。そして、蛍光灯から上方に投射された光は、上側に位置する反射板の反射部によって下方に反射され、間接照明光として照射される。
【特許文献１】特開平０６−１３１９０５号公報（段落００１５，００２１および図１）
【発明の開示】
【発明が解決しようとする課題】
【０００５】
しかし、特許文献１に記載のようなランプカバーは、下方に突出する湾曲形状で、中央側を除き蛍光灯を覆う形状であるので、ランプから中央側に照射された光が反射部にて反射され、間接照明がなされるので、照射範囲が狭くなる。
【０００６】
そこで、発明者は、灯具カバーを、複数の板状のカバー部材で構成すれば、蛍光灯を覆い隠せるとともに、カバー部材の隙間を通じて蛍光灯より外側にも光を反射させることができることに着想し、広範囲にわたって間接照明できる本発明を開発するに至ったものである。
【０００７】
ところで、現在、鉄道車両の天井部に設けられる鉄道車両用灯具の灯具カバーには、不燃性が求められることから、灯具カバーにガラスなどの使用が考えられるが、その場合には、重量増加になるおそれがある。
【０００８】
本発明は、蛍光灯を用いたものにおいて、広範囲にわたって間接照明することができる鉄道車両用灯具を提供することを目的とする。
【課題を解決するための手段】
【０００９】
請求項１の発明は、蛍光灯の下側が灯具カバーにて覆われ、鉄道車両の天井面に、車両長手方向に沿って前記蛍光灯が延びるように取り付けられる鉄道車両用灯具であって、前記灯具カバーは、前記蛍光灯の真下中央に前記蛍光灯を覆うように配置される中央カバー部材と、前記中央カバー部材に対して前記蛍光灯の長手方向に直交する方向にずれて配置されている側部カバー部材とを備えることを特徴とする。ここで、側部カバー部材は、中央カバー部材の上方に配置されていても下方に配置されていてもよい。また、中央カバー部材と側部カバー部材とは形状が同一でも、異なっていてもよい。
【００１０】
このようにすれば、中央カバー部材および側部カバー部材で、蛍光灯を覆う灯具カバーを構成しているので、各カバー部材の隙間からも蛍光灯の光が漏れ出て側方を照明する。よって、比較的広範囲にわたって間接照明することができる。
請求項２に記載のように、前記灯具カバーは、不燃性材料を用いて成形されている構成とすることができる。
【００１１】
このようにすれば、最近、車両火災対策として灯具カバーに不燃性材料の使用が義務づけられていることにも対応できる。
【００１２】
請求項３に記載のように、前記各カバー部材の上面は、中央部位から両側方部位に向かって徐々に高さが低くなる構成とされている構成とするが望ましい。
【００１３】
このようにすれば、各カバー部材の上面上の塵埃は、高さの変化に伴い、中央部位から両側方部位に向かって滑って落下しやすい。よって、塵埃の付着を防止する上で有利となる。
【００１４】
請求項４に記載のように、前記側部カバー部材は２つで、前記中央カバー部材の左右であって前記中央カバー部材の上方に配置され、前記中央カバー部材及び側部カバー部材は、上面に対し鏡面加工あるいは反射効率が高くなる表面処理が施されている構成とすることができる。この場合、中央カバー部材及び側部カバー部材の下面は、塗装面としてもよいし、生地のままの面（未処理面）としてもよい。
【００１５】
このようにすれば、蛍光灯からの光が中央カバー部材の上面で反射され、その反射光が左右の側部カバー部材の下面で反射されて、照明が行われる。
【００１６】
この場合、請求項５に記載のように、前記カバー部材は、３つとも、同じ中空形状の押出形材で形成されている構成とすることができる。
【００１７】
このようにすれば、カバー部材の共通化が図れる。また、剛性がある中空形状としているので、清掃時に各カバー部材が変形するおそれもない。
【００１８】
請求項６に記載のように、前記中央カバー部材は、中空形状の押出形材で、左右の側部カバー部材は、上方に突出するように湾曲した平板材で形成されている構成としてもよい。
【００１９】
このようにすれば、左右の側部カバー部材の下面が全体的に明るくなる。
【００２０】
請求項７に記載のように、前記中央カバー部材は、前記蛍光灯の長手方向に直交する方向における中央部分に、前記蛍光灯からの光が透光可能である透光部が形成されている構成とすることもできる。この場合、透光部は、平面視で、円形状でもよいし、長円形状でもよい。
【００２１】
このようにすれば、透光部を設けることで、中央カバー部材の下方を明るくすることができる。
【００２２】
請求項８に記載のように、前記カバー部材の各端部は、支持板に固定され、前記各支持板は、上縁部の一側において前記天井面に回転可能に支持され、他側において取り外し可能に係止されている構成とすることが望ましい。
【００２３】
このようにすれば、カバー部材および支持板を一緒に、ユニットとして、簡単に取り外すことができる。
【発明の効果】
【００２４】
以上のように、本発明は、蛍光灯を、複数のカバー部材からなる灯具カバーで覆うようにしているので、各カバー部材の間からも蛍光灯の光が漏れ出て側方を照明する。よって、比較的広範囲にわたって間接照明することができる。
【発明を実施するための最良の形態】
【００２５】
以下、本発明の実施の形態を図面に沿って説明する。
【００２６】
図１は鉄道車両の天井部への、取付状態を示す概略断面図、図２は鉄道車両用灯具の斜視図、図３（ａ）は鉄道車両用灯具の取付状態を示す側面図、（ｂ）は取り外し状態を示す側面図である。
【００２７】
図１に示すように、鉄道車両の天井中央付近に矩形状のダクト１が取り付けられ、その側方に、冷風グリル部材２および吊手アッセンブリ３を挟んで内装パネルアッセンブリ４が配置され、その内装パネルアッセンブリ４に、吊手アッセンブリ３に隣接して鉄道車両の天井面に灯具５が取り付けられている。
【００２８】
図２及び図３（ａ）に示すように、灯具５は、車両長手方向に延びる反射板１１の下側に、支持部１２を介して蛍光灯６が支持される一方、上側にインバータ１３が設けられている。反射板１１は、支持部１２およびインバータ１３が取り付けられる水平基部１１ａと、この水平基部１１ａの両側縁より斜め外側下方に延びる傾斜部１１ｂ，１１ｂと、この傾斜部１１ｂ，１１ｂに連接され側方水平方向に延びる取付部１１ｃ，１１ｃとを備える。水平基部１１ａおよび傾斜部１１ｂ，１１ｂが、天井部内に埋め込まれるように、天井部に取付部１１ｃ，１１ｃがビス１４を介して固定されている。
【００２９】
また、反射板１１の長手方向両端付近には、３つのカバー部材つまり、中央カバー部材２２Ａおよび左右の側部カバー部材２２Ｂ，２２Ｂを支持する支持板２１，２１が配置されている。カバー部材２２Ａ，２２Ｂ，２２Ｂの各端部を、支持板２１を貫通するように嵌合して固定することで、カバー部材２２Ａ，２２Ｂ，２２Ｂと支持板２１とは、灯具カバー２６としてユニット化されている。中央カバー部材２２Ａは、蛍光灯６の真下中央に蛍光灯６を覆うように配置されている。左右の側部カバー部材２２Ｂ，２２Ｂは、中央カバー部材２２Ａの左右上方であって中央カバー部材２２Ａに対して蛍光灯６の長手方向に直交する方向に一部重複してずれて配置されている。よって、下側からは、蛍光灯６を見ることができない、間接照明となっている。
【００３０】
各支持板２１は、上縁部の一端側が、天井部に取り付けられたフック部材２３に回転可能に係止され、他端側が、天井部に固定された支持部材２４に係止ピン２５を挿通することで、取り外し可能に係止されている。つまり、係止ピン２５を外すことで、支持板２１の上縁部の他端側の係止が解除され、図３（ｂ）に示すように、フック部材２３に係止部分を中心として回転するようになっている。この状態で灯具カバー２６を上方に持ち上げて、フック部材２３による係止を解除することで、灯具カバー２６を取り外すことができるようになっている。
【００３１】
そして、蛍光灯６の下側が、蛍光灯６の長手方向に沿って延びる複数の板状のカバー部材２２Ａ，２２Ｂ，２２Ｂにて覆われているので、下側から蛍光灯６を直接見ることができないように構成されている。具体的には、カバー部材のうちの中央に位置するカバー部材２２Ａが、蛍光灯の真下中央に蛍光灯６を覆うように配置され、左右の側部カバー部材２２Ｂ，２２Ｂが、中央カバー部材２２Ａに対して上方にずれると共に、中央カバー部材２２Ａとは、前記蛍光灯の長手方向に直交する方向に一部重複してずれる位置関係で配置されている。
【００３２】
カバー部材２２Ａ，２２Ｂ，２２Ｂは、３つとも、不燃性材料（金属材料、例えばアルミニウム合金など）あるいは難燃性材料からなり、同じ中空形状の押出形材で形成されている。そして、各カバー部材の上面２２Ａａ，２２Ｂａは、蛍光灯６の長手方向に直交する方向における中央部位から両側方部位に向かって徐々に高さが低くなる構成とされ、上面２２Ａａ，２２Ｂａに塵埃が付着しにくくなっている。
【００３３】
中央カバー部材２２Ａは、上面２２Ａａが鏡面加工が施され反射効率が高い鏡面で、下面２２Ａｂは塗装面となっている。また、左右の側部カバー部材２２Ｂも、上面２２Ｂａが鏡面で、下面２２Ｂｂが塗装面となっている。これにより、蛍光灯６からの照明光が、中央カバー部材２２Ａの上面２２Ａａで反射され、その反射光が側方に位置する側部カバー部材２２Ｂの下面２２Ｂｂや客室内を照明する。
【００３４】
また、蛍光灯６からの照明光は、左右の側部カバー部材２２Ｂの上面２２Ｂａで反射され、その反射光が客室天井面も間接照明する。これにより、客室天井面が明るくなり、従来の灯具では、照明できなかった部分も照明できるようになる。
【００３５】
前記実施の形態のほか、本発明は、次のように構成することも可能である。
【００３６】
(i)図４に示すように、中央カバー部材２２Ａ’を、左右の側部カバー部材２２Ｂ，２２Ｂよりも幅を広くすることで、前記実施の形態よりも側部カバー部材をより外側に配置することができ、灯具カバーの全体高さを低くすることができ、下側から蛍光灯６を見上げたときに隠蔽できる部分を多くすることができる。また、反射光をより側方に反射させることができ、反射する範囲を広くすることも可能である。
【００３７】
(ii)図５に示すように、中央カバー部材２２Ａのみを中空形状の押出形材とし、左右の側部カバー部材２２Ｃ，２２Ｃは上方に突出するように湾曲した平板材で形成することも可能である。この場合も、左右の側部カバー部材２２Ｃの上面２２Ｃａは鏡面で、下面２２Ｃｂは塗装面とされる。このようにすれば、左右の側部カバー部材２２Ｃ，２２Ｃの下面が明るく、全体的に明るくなり、図４に示す場合よりも照度が向上する。
【００３８】
(iii)図６及び図７に示すように、中央カバー部材２２Ｄは、蛍光灯６の長手方向に直交する方向における中央部分が上方に突出するように湾曲した薄形の中空形材とし、その中央部分に、透光性材料（例えば、球体レンズ）からなり平面視円形状の透光部３１が一定ピッチで配置されている構成とすることも可能である。つまり、中央カバー部材２２Ｄの中央部分に一定ピッチで貫通テーパ穴２２Ｄａを形成し、その各貫通テーパ穴２２Ｄａに球体レンズ３２が埋め込まれることで、蛍光灯６からの光を透過する透光部３１が形成される。このようにすれば、中央カバー部材２２Ｄの下面を明るくすることができる。また、透光部３１は、平面視円形状に制限されるものではなく、平面視長円形状や平面視長方形状でもよく、それらが複数個配置されている構成としてもよいし、細長いものが１個だけ配置されている構成とすることも可能である。
(iv)中央カバー部材２２Ａ及び側部カバー部材２２Ｂの上面２２Ａａ，２２Ｂａは、鏡面加工に代えて、反射効率が高くなる表面処理が施されている面とすることも可能である。
【図面の簡単な説明】
【００３９】
【図１】鉄道車両の天井部への、取付状態を示す概略断面図である。
【図２】鉄道車両用灯具の斜視図である。
【図３】（ａ）は鉄道車両用灯具の取付状態を示す側面図、（ｂ）は取り外し状態を示す側面図である。
【図４】鉄道車両用灯具の別の実施の形態を示す、図３（ａ）と同様の図である。
【図５】鉄道車両用灯具のさらに別の実施の形態を示す、図３（ａ）と同様の図である。
【図６】鉄道車両用灯具の他の実施の形態を示す、図２と同様の図である。
【図７】前記他の実施の形態を示す、図３（ａ）と同様の図である。
【図８】鉄道用灯具の、従来の取付状態示す図１と同様の図である。
【図９】従来例を示す図３（ａ）と同様の図である。
【符号の説明】
【００４０】
５    灯具
６    蛍光灯
１１    反射板
２１    支持板
２２Ａ，２２Ｂ，２２Ｂ，２２Ｃ，２２Ｄ    カバー部材
２２Ａａ，２２Ｂａ，２２Ｃａ    上面
２２Ａｂ，２２Ｂｂ，２２Ｃｂ    下面
２２Ｄａ    貫通テーパ穴
２３    フック部材
３１    透光部
３２    球体ガラス
【図１】
2008149970.tif 000003
【図２】
2008149970.tif 000004
【図３】
2008149970.tif 000005
【図４】
2008149970.tif 000006
【図５】
2008149970.tif 000007
【図６】
2008149970.tif 000008
【図７】
2008149970.tif 000009
【図８】
2008149970.tif 000010
【図９】
2008149970.tif 000011